【手続補正書】
【提出日】平成31年3月6日(2019.3.6)
【手続補正１】
【補正対象書類名】特許請求の範囲
【補正対象項目名】全文
【補正方法】変更
【補正の内容】
【特許請求の範囲】
【請求項１】
搬送路を搬送向きへ搬送されるシートへ画像を記録する記録ヘッドと、
第１モータと、
第２モータと、
上記記録ヘッドを搭載しており、上記第１モータから駆動力を付与されることによって、上記搬送向きと交差する走査方向に往復移動可能なキャリッジと、
上記第２モータから駆動力を付与されることによって上記走査方向に沿った第１回転軸周りに回転する駆動ギヤと、
上記駆動ギヤからの駆動力が伝達されることによって駆動する複数の駆動部と、
上記駆動ギヤからの駆動力の伝達先を上記複数の駆動部のいずれかに切り替える駆動切替機構と、
上記第１モータ及び上記第２モータを制御する制御部と、を具備しており、
上記駆動切替機構は、
上記駆動ギヤと噛合し、上記走査方向に沿った第２回転軸周りに回転する切替ギヤと、
上記走査方向に沿って並列に配置されており、上記切替ギヤと噛合し、上記走査方向に沿った第３回転軸周りに回転し、回転することにより上記各駆動部に駆動力をそれぞれ伝達する複数の伝達ギヤと、
上記走査方向に沿ってスライド可能に上記切替ギヤを支持しており、上記キャリッジの移動によって上記切替ギヤを上記各伝達ギヤの位置に応じた所定のスライド位置にスライドさせるスライド機構と、
上記各伝達ギヤと噛合する噛合位置、及び、上記各伝達ギヤと離間する離間位置との間で上記切替ギヤを移動させる離合機構と、を備えており、
上記制御部は、
上記離合機構によって、上記切替ギヤを上記噛合位置から上記離間位置へ移動させる離間処理と、
上記切替ギヤが上記離間位置にある状態で、上記第１モータを駆動して上記キャリッジを上記走査方向に沿って移動させることにより、上記スライド機構によって上記切替ギヤをスライドさせて当該切替ギヤを上記所定のスライド位置に対応するように移動させるスライド処理と、
上記離合機構によって、上記切替ギヤを上記離間位置から上記噛合位置へ移動させる噛合処理と、を実行する画像記録装置。
【請求項２】
上記離合機構は、上記切替ギヤを上記駆動ギヤ周りに移動可能に支持しており、上記駆動ギヤの回転方向に基づいて上記切替ギヤを上記噛合位置又は上記離間位置へ移動させる遊星機構を有しており、
上記制御部は、
上記離間処理において、上記第２モータを制御して、上記駆動ギヤを上記回転方向のうち一方に回転させて上記切替ギヤを上記噛合位置から上記離間位置へ移動させ、
上記噛合処理において、上記第２モータを制御して、上記駆動ギヤを上記回転方向のうち上記一方とは逆方向の他方へ回転させて上記切替ギヤを上記離間位置から上記噛合位置へ移動させる請求項１に記載の画像記録装置。
【請求項３】
上記遊星機構は、
上記切替ギヤを回転可能に支持し、上記第２回転軸が挿通されており、当該切替ギヤが上記噛合位置及び上記離間位置となるように当該第２回転軸に対して移動可能なギヤ支持部材と、
上記ギヤ支持部材と上記切替ギヤとの間に所定の摺動抵抗を生じさせる抵抗部と、を更に備えており、
上記第２回転軸が挿通される上記ギヤ支持部材の貫通孔は、上記噛合位置と上記離間位置との間における上記切替ギヤの移動方向に沿って延びる長穴であって、
上記切替ギヤは、上記駆動ギヤから伝達された当該切替ギヤの回転力が上記抵抗部を介して上記ギヤ支持部材に伝達されて、当該ギヤ支持部材が上記移動方向に沿った上記貫通孔に案内されることにより、上記噛合位置及び上記離間位置との間を移動する請求項２に記載の画像記録装置。
【請求項４】
上記駆動切替機構は、
上記キャリッジの移動領域に位置して上記キャリッジに当接可能な当接部と、上記ギヤ支持部材の周面に当接可能であり上記切替ギヤが上記噛合位置にある状態から上記離間位置へ移動することを規制する規制部とを有し、上記当接部がロック位置にあり、且つ上記規制部が上記ギヤ支持部材の周面と当接した規制位置にある第１位置と、上記当接部が上記ロック位置とは異なるリリース位置にあり、且つ上記規制部が上記ギヤ支持部材の周面と当接していない非規制位置にある第２位置と、に上記走査方向に沿った回動軸周りに回動可能な切替レバーと、
上記切替レバーを回動可能に支持するレバー支持部と、上記第２回転軸が挿通される挿通孔と、上記ギヤ支持部材を支持すると共に上記貫通孔に沿った当該ギヤ支持部材の移動を案内するガイド部と、を有し、上記切替レバーが移動されることに伴い当該切替レバーと一体に上記走査方向に沿って移動する案内部材と、
上記切替レバーを上記第１位置へ向けて付勢する付勢部材と、を備えている請求項３に記載の画像記録装置。
【請求項５】
上記キャリッジは、
上記切替レバーが上記第１位置にある状態で上記当接部と当接し、上記切替レバーを上記第１位置から上記第２位置へ案内する第１面と、当該第１面と連続しており上記切替レバーが上記第２位置へ回動した状態で上記当接部と当接し、上記第２位置を維持したまま上記切替レバーを上記走査方向のうちの一方向へ移動させるように当該一方向を向いた第２面と、を有するレバーガイドを備えている請求項４に記載の画像記録装置。
【請求項６】
上記駆動切替機構は、上記第２回転軸及び上記案内部材を支持する支持部材を更に備えており、
上記支持部材は、上記所定のスライド位置に対応して設けられた複数の溝部を備えており、
上記切替レバーは、
上記第１位置において上記溝部のいずれかに進入して上記走査方向に沿った当該切替レバーの移動を規制し、上記第２位置において上記溝部から離れて上記走査方向に沿った当該切替レバーの移動を許容する突出部を更に備えている請求項５に記載の画像記録装置。
【請求項７】
上記レバーガイドは、上記一方向と反対の他方向を向いた第３面を有しており、
最も上記一方向に位置する上記溝部は、上記突出部が上記一方向へ移動される過程において当該突出部と当接して、当該突出部を案内することにより上記切替レバーを上記第２位置に対して上記第１位置と反対の回動位置である第３位置へ回動させる第１案内面を有し、
最も上記他方向に位置する上記溝部は、上記突出部が上記他方向へ移動される過程において当該突出部と当接して、当該突出部を案内することにより上記切替レバーを上記第３位置へ回動させる第２案内面を有し、
上記切替レバーの上記当接部は、上記第３位置に位置する状態で、上記搬送向きに沿った方向において上記レバーガイドと当接しない請求項６に記載の画像記録装置。
【手続補正２】
【補正対象書類名】明細書
【補正対象項目名】０００７
【補正方法】変更
【補正の内容】
【０００７】
(1)  本発明に係る画像記録装置は、搬送路を搬送向きへ搬送されるシートへ画像を記録する記録ヘッドと、第１モータと、第２モータと、上記記録ヘッドを搭載しており、上記第１モータから駆動力を付与されることによって、上記搬送向きと交差する走査方向に往復移動可能なキャリッジと、上記第２モータから駆動力を付与されることによって上記走査方向に沿った第１回転軸周りに回転する駆動ギヤと、上記駆動ギヤからの駆動力が伝達されることによって駆動する複数の駆動部と、上記駆動ギヤからの駆動力の伝達先を上記複数の駆動部のいずれかに切り替える駆動切替機構と、上記第１モータ及び上記第２モータを制御する制御部と、を具備している。上記駆動切替機構は、上記駆動ギヤと噛合し、上記走査方向に沿った第２回転軸周りに回転する切替ギヤと、上記走査方向に沿って並列に配置されており、上記切替ギヤと噛合し、上記走査方向に沿った第３回転軸周りに回転し、回転することにより上記各駆動部に駆動力をそれぞれ伝達する複数の伝達ギヤと、上記走査方向に沿ってスライド可能に上記切替ギヤを支持しており、上記キャリッジの移動によって上記切替ギヤを上記各伝達ギヤの位置に応じた所定のスライド位置にスライドさせるスライド機構と、上記各伝達ギヤと噛合する噛合位置、及び、上記各伝達ギヤと離間する離間位置との間で上記切替ギヤを移動させる離合機構と、を備えている。上記制御部は、上記離合機構によって、上記切替ギヤを上記噛合位置から上記離間位置へ移動させる離間処理と、上記切替ギヤが上記離間位置にある状態で、上記第１モータを駆動して上記キャリッジを上記走査方向に沿って移動させることにより、上記スライド機構によって上記切替ギヤをスライドさせて当該切替ギヤを上記所定のスライド位置に対応するように移動させるスライド処理と、上記離合機構によって、上記切替ギヤを上記離間位置から上記噛合位置へ移動させる噛合処理と、を実行する。